(57)【要約】【課題】ドッキングステーションを良好にかつ簡単な操作で保持することのできるスタンド装置を提供する。【解決手段】このスタンド装置は、ドッキングステーションを厚み方向に対して直交する方向に挿抜可能とされ、挿入された前記ドッキングステーションを厚み方向の両側から押さえつつ保持することが可能な一対のホルダ壁部を有するホルダ本体と、ホルダ本体を弾性的に支持する弾性部材と、ホルダ本体に挿入されたドッキングステーションの荷重により弾性部材の反発力に逆らう方向にホルダ本体を移動させ、この移動に伴って、ホルダ本体内にドッキングステーションを拘束状態にするように一対のホルダ壁部を変位させる変位操作部とを具備する。【選択図】図９
2012160008.tif 000002
【特許請求の範囲】
【請求項１】
ドッキングステーションを厚み方向に対して直交する方向に挿抜可能とされ、挿入された前記ドッキングステーションを前記厚み方向の両側から押さえつつ保持することが可能な一対の壁部を有するホルダ本体と、
前記ホルダ本体を弾性的に支持する弾性部材と、
前記ホルダ本体に挿入された前記ドッキングステーションの荷重により前記弾性部材の反発力に逆らう方向に前記ホルダ本体を移動させ、この移動に伴って、前記ホルダ本体内に前記ドッキングステーションを拘束状態にするように前記一対の壁部の少なくとも一方を変位させる変位操作部と
を具備するスタンド装置。
【請求項２】
請求項１に記載のスタンド装置であって、
前記ホルダ本体は、前記ドッキングステーションの筐体において吸排気穴が設けられた部位を保持する部分を有し、この部分は前記吸排気穴と連通可能な流通穴を有する
スタンド装置。
【請求項３】
請求項２に記載のスタンド装置であって、
前記ホルダ本体に保持された前記ドッキングステーションの筐体と係合して、当該ドッキングステーションの挿抜方向及び厚み方向に対して直交する方向での位置決めを行う位置決め部をさらに具備する
スタンド装置。
【請求項４】
情報処理装置の機能を拡張するデバイスを内蔵するドッキングステーションと、
前記ドッキングステーションを保持可能なスタンド装置とを具備し、
前記スタンド装置は、
前記ドッキングステーションを厚み方向に対して直交する方向に挿抜可能とされ、挿入された前記ドッキングステーションを前記厚み方向の両側から押さえつつ保持することが可能な一対の壁部を有するホルダ本体と、
前記ホルダ本体を弾性的に支持する弾性部材と、
前記ホルダ本体に挿入された前記ドッキングステーションの荷重により前記弾性部材の反発力に逆らう方向に前記ホルダ本体を移動させ、この移動に伴って、前記ホルダ本体内に前記ドッキングステーションを拘束状態にするように前記一対の壁部の少なくとも一方を変位させる変位操作部と
を具備するドッキングステーションシステム。
【発明の詳細な説明】
【技術分野】
【０００１】
本発明は、ノート型のパーソナルコンピュータなどの携帯型の情報処理装置のための機能拡張ユニットであるドッキングステーションを縦置き姿勢で保持するスタンド装置、及びドッキングステーションシステムに関する。
【背景技術】
【０００２】
ドッキングステーションとは、ノート型のパーソナルコンピュータなどの携帯型の情報処理装置のための機能拡張ユニットである。ドッキングステーションは、例えば、光学ドライブ、ハードディスクドライブなどのドライブ類、無線ＬＡＮなどの無線通信部、シリアルポートやパラレルポートなどの接続端子、情報処理装置との電気的な接続をとるためのコネクタなどを備える。携帯型の情報処理装置に搭載されない様々な機能をドッキングステーションにより補うことで、携帯型の情報処理装置の携帯性と機能性の両面の充実を図れる。ドッキングステーションに関する公知の文献には、例えば、特許文献１、特許文献２などがある。
【先行技術文献】
【特許文献】
【０００３】
【特許文献１】特開平１１−０２４７８号公報
【特許文献２】特開２００２−１０８５２１号公報
【発明の概要】
【発明が解決しようとする課題】
【０００４】
ドッキングステーションは、その上面などにノートパソコンを平置き姿勢で搭載するものが多い。この種のドッキングステーションはノートパソコンと同等のサイズ及び同様の矩形形状をもつものが主流である。したがって、ノートパソコンの小型化が進むに連れてドッキングステーションも小型になる傾向がある。ところで、ドッキングステーションは、ノートパソコンそのものに比較して利用の頻度がどうしても低くなる。したがって、ドッキングステーションが小型であることと利用頻度の低さとが相俟って、いざ利用しようとした際にドッキングステーションがなかなか見つからないというケースがあり得る。また、ドッキングステーションの未使用時の収容方法にこれといったものが実現されていなかった。
【０００５】
以上のような事情に鑑み、本発明の目的は、ドッキングステーションを良好にかつ簡単な操作で保持することのできるドッキングステーションのスタンド装置、ドッキングステーションシステムを提供することにある。
【課題を解決するための手段】
【０００６】
上記目的を達成するため、本発明の一形態に係るスタンド装置は、ドッキングステーションを厚み方向に対して直交する方向に挿抜可能とされ、挿入された前記ドッキングステーションを前記厚み方向の両側から押さえつつ保持することが可能な一対の壁部を有するホルダ本体と、前記ホルダ本体を弾性的に支持する弾性部材と、前記ホルダ本体に挿入された前記ドッキングステーションの荷重により前記弾性部材の反発力に逆らう方向に前記ホルダ本体を移動させ、この移動に伴って、前記ホルダ本体内に前記ドッキングステーションを拘束状態にするように前記一対の壁部の少なくとも一方を変位させる変位操作部とを具備する。
【０００７】
本発明では、ドッキングステーションがホルダ本体に挿入されたとき、変位操作部がドッキングステーションの荷重により弾性部材の反発力に逆らう方向にホルダ本体を移動させ、この移動に伴ってホルダ本体の壁部を変位させてドッキングステーションをホルダ本体内に拘束状態にする。ドッキングステーションがホルダ本体から抜かれる際には、ドッキングステーションの荷重がかからなくなることで、弾性部材の反発力の方向にホルダ本体が移動し、ホルダ本体の壁部の変位が解消される。この結果、ドッキングステーションのホルダ本体内での拘束状態が解除される。したがって、このスタンド装置によれば、ドッキングステーションを縦置きの姿勢で安定に保持することができる。また、ドッキングステーションの着脱を、ドッキングステーションをホルダ本体に上から差し込む操作と、ホルダ本体から上に引き出す操作によって、それぞれ１アクションで容易に行うことができる。
【０００８】
前記ホルダ本体は、前記ドッキングステーションの筐体において吸排気穴が設けられた部位を保持する部分を有し、この部分に前記吸排気穴と連通可能な流通穴を有するものであってもよい。このようにスタンド装置のホルダ本体に流通穴を設けることで、ドッキングステーションが使用された後、直ぐにスタンド装置に装着されても、ドッキングステーションの筐体内に熱が長時間こもることを防止することができ、ドッキングステーション内の拡張デバイスの熱破壊などを防止することができる。
【０００９】
本発明のスタンド装置は、前記ホルダ本体に保持された前記ドッキングステーションの筐体と係合して、当該ドッキングステーションの挿抜方向及び厚み方向に対して直交する方向での位置決めを行う位置決め部をさらに具備するものであってもよい。このように、ドッキングステーションの挿抜方向及び厚み方向に対して直交する方向でドッキングステーションを位置決めして保持することによって、ドッキングステーションの吸排気穴とホルダ本体の流通穴との位置的な整合性を確保することができるとともに、ドッキングステーションがスタンド装置に偏った位置で保持されるのを防止できる。
【００１０】
本発明の別の側面のドッキングステーションシステムは、上記目的を達成するため、情報処理装置の機能を拡張するデバイスを内蔵するドッキングステーションと、前記ドッキングステーションを保持可能なスタンド装置とを具備し、前記スタンド装置は、前記ドッキングステーションを厚み方向に対して直交する方向に挿抜可能とされ、挿入された前記ドッキングステーションを前記厚み方向の両側から押さえつつ保持することが可能な一対の壁部を有するホルダ本体と、前記ホルダ本体を弾性的に支持する弾性部材と、前記ホルダ本体に挿入された前記ドッキングステーションの荷重により前記弾性部材の反発力に逆らう方向に前記ホルダ本体を移動させ、この移動に伴って、前記ホルダ本体内に前記ドッキングステーションを拘束状態にするように前記一対の壁部の少なくとも一方を変位させる変位操作部とを具備する。
【発明の効果】
【００１１】
本発明によれば、ドッキングステーションを良好にかつ簡単な操作で保持することができる。
【図面の簡単な説明】
【００１２】
【図１】本発明に係る第１の実施形態のドッキングステーションシステムの構成を示す斜視図である。
【図２】図１のドッキングステーションシステムにおいてスタンド装置にドッキングステーションが装着された状態を示す斜視図である。
【図３】ドッキングステーションの４面図である。
【図４】図１のスタンド装置の平面図である。
【図５】図１のスタンド装置のＹ方向側面図である。
【図６】図１のスタンド装置のＸ方向側面図である。
【図７】図１のスタンド装置からハウジングの一部を外して内部構造を示した斜視図である。
【図８】図１のスタンド装置においてドッキングステーションが装着される前のホルダ部の状態を示す断面図である。
【図９】図１のスタンド装置においてドッキングステーションが装着された後のホルダ部の状態を示す断面図である。
【図１０】図１のスタンド装置においてＸ軸方向でのドッキングステーションの保持位置について説明する側面図である。
【発明を実施するための形態】
【００１３】
以下、図面を参照しながら、本発明の実施形態を説明する。
＜第１の実施形態＞
図１及び図２は本発明に係る第１の実施形態のスタンド装置を含むドッキングステーションシステムを示す斜視図である。
ドッキングステーションシステムは、例えばノート型パーソナルコンピュータなどの携帯型の情報処理装置（図示せず）の機能を拡張するドッキングステーション１０と、当該ドッキングステーション１０の筐体の厚み方向（Ｙ軸方向）の両側から抑えつつ、縦置きの姿勢で、挿抜自在に保持することのできるスタンド装置１００とで構成される。
【００１４】
［ドッキングステーション１０］
図３はドッキングステーション１０の４面図である。なお、図３に示すドッキングステーション１０のＸ−Ｚ面は図１及び図２に示すドッキングステーション１０を裏側から見た図である。
【００１５】
同図に示すように、ドッキングステーション１０は、全体として略長方体の筐体１１を有する。この筐体１１の長方体において最も長い辺の方向をＸ軸方向、次に長い辺の方向をＺ軸方向、最も短い辺の方向をＹ軸方向とする。筐体１１の長方体におけるＹ軸方向の長さをドッキングステーション１０の筐体１１の厚みとする。このドッキングステーション１０の筐体１１内には、ノート型のパーソナルコンピュータなどの携帯型の情報処理装置の拡張機能として使用されるデバイス群が内蔵されている。デバイス群としては、例えば、光学ドライブ、ハードディスクドライブなどのドライブ類、無線ＬＡＮ（Local Area Network）などの無線通信部、シリアルポートやパラレルポートなどのインタフェース、グラフィック処理のためのＧＰＵ（Graphics Processing Unit）などがある。また、ドッキングステーション１０の筐体１１内には、上記のデバイス群の機能の保全のために必要な部品、例えば、冷却ファンなども内蔵されている。筐体１１には、冷却ファンにより起される気流を筐体１１内外に流通させるための吸排気穴１２ａ．１２ｂ，１２ｃ，１２ｄが各所に設けられている。さらに、筐体１１の一方のＸ−Ｚ面には、スタンド装置１００に保持されるときの位置決めのための係合部１３が設けられている。
【００１６】
［スタンド装置１００］
図４はスタンド装置１００の平面図、図５はＹ方向側面図、図６はＸ方向側面図、図７はハウジングの一部を外した斜視図、図８及び図９はスタンド装置１００のホルダ部の詳細を説明するための断面図である。
これらの図に示すように、スタンド装置１００の３軸（ＸＹＺ軸）方向が規定されているものとする。ここでＺ軸方向はスタンド装置１００が据え置かれたときの重力に沿った方向である。
【００１７】
これらの図に示すように、スタンド装置１００は、ボトムプレート１０１、ハウジング１０３、ドッキングステーションホルダ部（以下「ホルダ部」と呼ぶ。）１１０を有する。
【００１８】
ボトムプレート１０１は、スタンド装置１００を平らな面に設置したときに安定するように平坦な板で構成される。ハウジング１０３はボトムプレート１０１の一方面に設けられている。ハウジング１０３はボトムプレート１０１の面との間にウエイト１２０（図７−９）などの部品を収容可能なように中空構造にて作製される。
【００１９】
また、ハウジング１０３のＹ軸方向の中央部分には、上記のホルダ部を設けるための断面Ｕ字型の溝部１１１（図７−図９参照）が設けられている。この溝部１１１はＸ軸方向に貫通している。このハウジング１０３の溝部１１１には、この溝部１１１の内部形状に適合するようにホルダ部１１０が設けられている。
【００２０】
［ホルダ部１１０の詳細］
ホルダ部１１０は、ドッキングステーション１０を当該ドッキングステーション１０の筐体１１の厚み方向（Ｙ軸方向）に対して直交する方向であるＺ軸方向に挿抜可能とされ、挿入されたドッキングステーション１０を筐体１１の厚み方向の両側から押さえつつ保持することが可能な部分である。ホルダ部１１０の深さＤ１（図６参照）は、ドッキングステーション１０を縦置き姿勢で安定して保持できるとともに、ドッキングステーション１０の挿抜時の操作性が低下しない程度、例えば３０−５０［ｍｍ］程度でよい。但し、この値はドッキングステーション１０のサイズにも依存する。本実施形態で採用したドッキングステーション１０のサイズは、例えば、Ｘ軸方向のサイズ＝２１０［ｍｍ］、Ｚ軸方向のサイズ＝１５０［ｍｍ］、Ｙ軸方向のサイズ（厚み）＝１５［ｍｍ］である。
【００２１】
ホルダ部１１０は、具体的にはホルダ本体１１２からなる。ホルダ本体１１２は、ハウジング１０３の溝部１１１の断面形状に沿ったＵ字状の断面形状を有する。ホルダ本体１１２において、互いに向き合った壁の部分をホルダ壁部１１２ａ，１１２ｂ、これら２つのホルダ壁部１１２ａ，１１２ｂどうしを連結する部分を連結部１１２ｃと呼ぶこととする。ホルダ壁部１１２ａ，１１２ｂの互いに対向する側の面にはクッション部１１３が、薄いシート状のクッション材の貼り付けなどによって設けられている。クッション部１１３は、ドッキングステーション１０の筐体１１の表面と直接接触される部分となるため、ドッキングステーション１０の筐体１１の表面を傷付けることなく、しかも安定に保持することができるように柔軟性を有する材料にて設けられる。
【００２２】
ホルダ本体１１２はボトムプレート１０１上で板バネなどの弾性部材１３０（図７−図９参照）によって弾性的に支持される。ホルダ本体１１２は、ハウジング１０３の溝部１１１内においてＺ軸方向に所定の範囲で移動自在とされている。その可動域は、例えば１０［ｍｍ］程度、あるいはそれ以上、以下でよい。このホルダ本体１１２のＺ軸方向の移動を可能にするために、ハウジング１０３の溝部１１１のＹ軸方向に対向する内壁面には、複数のガイド溝（図示せず）と複数の移動制限部１１４（図８、図９）が設けられている。一方、ホルダ本体１１２の互いに対向するホルダ壁部１１２ａ，１１２ｂの外側の面には、ハウジング１０３の溝部１１１に設けられた複数のガイド溝にそれぞれ係合される複数のガイドリブ１１５（図７参照）と、ハウジング１０３の溝部１１１に設けられた複数の移動制限部１１４にそれぞれ係合される複数の係合部１１６（図７−図９参照）が設けられている。
【００２３】
ハウジング１０３の移動制限部１１４は、より具体的にはハウジング１０３に設けられた開口であり、ホルダ本体１１２の係合部１１６はその開口に挿入される突起部である。すなわち、ハウジング１０３の溝部１１１内でホルダ本体１１２は、係合部１１６としての突起部が、図８に示すように、ハウジング１０３に設けられた移動制限部１１４としての開口内の上端にあるときのトップ位置と、図９に示すように、突起部がハウジング１０３の開口内の下端にあるときのボトム位置との間で移動自在である。また、このハウジング１０３の溝部１１１内でのホルダ本体１１２の上下動は、ハウジング１０３の各ガイド溝（図示せず）とホルダ本体１１２のガイドリブ１１５との係合により移動方向が規制されることで、安定して行われることが可能である。
【００２４】
上記のようにホルダ本体１１２は、例えば板バネなどの弾性部材１３０（図７−図９参照）によってボトムプレート１０１上に弾性的に支持されている。弾性部材１３０の反発力は、次のような条件を満たすように選定される。
１．ホルダ部１１０にドッキングステーション１０が保持されていないとき、ホルダ本体１１２を持ち上げて上記のトップ位置に定位させる。
２．ホルダ部１１０にドッキングステーション１０が保持されているとき（ドッキングステーション１０の荷重が発生したとき）、ホルダ本体１１２が降下して上記のボトム位置に定位する。
【００２５】
さらに、この実施形態のスタンド装置１００では、ホルダ本体１１２のＺ軸方向の移動に伴ってホルダ本体１１２のホルダ壁部１１２ａ，１１２ｂどうしの距離が可変するように構成される。次に、このようなホルダ本体１１２の操作を実現するための構成（変位操作部）について説明する。
【００２６】
ホルダ本体１１２は、例えば合成樹脂など、ある程度の粘りと強度を有する材料で作製される。加えてホルダ本体１１２はＵ字型の断面形状を有することから、対向するホルダ壁部１１２ａ，１１２ｂどうしの距離が変化する方向に比較容易に弾性変形する。そこでホルダ本体１１２の一対のホルダ壁部１１２ａ，１１２ｂの外側面と、これに対向するハウジング１０３の溝部１１１の内壁面には、ホルダ本体１１２の上下動に応じて互いに干渉し合うことによって、それぞれのホルダ壁部１１２ａ，１１２ｂを弾性変形させてホルダ壁部１１２ａ，１１２ｂどうしの距離を変化させるための段差部１６０，１７０が変位操作部として設けられている。段差部１６０，１７０はそれぞれ、面の高さが異なる高所部１６１，１７１および低所部１６２，１７２と、高所部１６１，１７１と低所部１６２，１７２との間のテーパ部１６３，１７３とを有する。ここで、ホルダ壁部１１２ａ，１１２ｂ側の段差部１６０を「ホルダ壁段差部１６０」、ハウジング１０３側の段差部１７０を「ハウジング段差部１７０」と呼ぶ。ホルダ壁段差部１６０においては、ホルダ部１１０の入口側から高所部１６１、テーパ部１６３、低所部１６２の順に設けられる。一方、ハウジング段差部１７０においては逆に、ホルダ部１１０の入口側から低所部１７２、テーパ部１７３、高所部１７１の順に設けられる。ホルダ壁段差部１６０及びハウジング段差部１７０の段差の高さとテーパの角度は共通もしくは略共通である。
【００２７】
図８に示したように、ホルダ本体１１２がトップ位置にあるとき、ハウジング段差部１７０の低所部１７２、テーパ部１７３、高所部１７１がホルダ壁段差部１６０の高所部１６１、テーパ部１６３、低所部１６２とそれぞれ当接して干渉する。すなわち、この状態はハウジング段差部１７０とホルダ壁段差部１６０の凹凸をかみ合わせた状態にある。ホルダ本体１１２のトップ位置からボトム位置への移動が開始されると、ホルダ壁段差部１６０のテーパ部１６３とハウジング段差部１７０のテーパ部１７３とのテーパ作用によって、ホルダ壁段差部１６０の高所部１６１がハウジング段差部１７０の高所部１７１にのり上がる（図９参照）。
【００２８】
これによりホルダ本体１１２の一対のホルダ壁部１１２ａ，１１２ｂは、連結部１１２ｃ寄りの部位を支点に互いに接近する方向に弾性変形によって一定量傾く。この結果、ホルダ壁部１１２ａ，１１２ｂそれぞれの内面に設けられたクッション部１１３，１１３が、ホルダ部１１０に挿入されたドッキングステーション１０の筐体１１の厚み方向の両面にそれぞれ当接する。すなわち、ホルダ部１１０に挿入されたドッキングステーション１０の筐体１１が厚み方向の両側から一対のホルダ壁部１１２ａ，１１２ｂによって把持された状態になる。
【００２９】
ドッキングステーション１０がホルダ部１１０から抜かれる際には、弾性部材１３０の力によってホルダ本体１１２がボトム位置からトップ位置へ向けて浮き上がるとともに、一対のホルダ壁部１１２ａ，１１２ｂのホルダ壁段差部１６０とハウジング段差部１７０とが凹凸をかみ合わせた状態に戻る。
【００３０】
ところで、ホルダ本体１１２の一対のホルダ壁部１１２ａ，１１２ｂどうしの距離は、ドッキングステーション１０の厚みを基準に選定される。より詳細には、次のような条件を満足するように、ホルダ壁部１１２ａ，１１２ｂどうしの距離が選定される。
１．ホルダ部１１０にドッキングステーション１０が保持されていないとき、ホルダ壁部１１２ａ，１１２ｂどうしの距離はドッキングステーション１０の厚みサイズよりも若干大きい。
２．ホルダ部１１０へのドッキングステーション１０の挿入を容易にするために、ドッキングステーション１０が保持されていないときのホルダ壁部１１２ａ，１１２ｂどうしの距離は入口側で最大となるようにする。すなわち、ホルダ壁部１１２ａ，１１２ｂどうしの入口側での距離は奥側の距離よりも大きい。
３．ホルダ部１１０にドッキングステーション１０が保持されているとき、対向するホルダ壁部１１２ａ，１１２ｂの内側にそれぞれ設けられたクッション部１１３でドッキングステーション１０を厚み方向の両側から適切な力で押さえることができるようにする。
【００３１】
以上のように、本実施形態のスタンド装置１００は、ホルダ本体１１２の一対のホルダ壁部１１２ａ，１１２ｂによってドッキングステーション１０を厚み方向の両側より押さえることによって、ドッキングステーション１０を縦置きの姿勢で安定に保持することができる。さらに、本実施形態のスタンド装置１００は、ドッキングステーション１０の着脱を、ドッキングステーション１０をスタンド装置１００のホルダ部１１０に単に上から差し込む操作と、ホルダ部１１０から上に引き出す操作によって、それぞれ１アクションで容易に行うことができる。
【００３２】
［ホルダ本体１１２のその他の構成］
ところで、ホルダ本体１１２において、ドッキングステーション１０の筐体１１を実際に押さえる部分は、Ｘ軸方向の全長においてクッション部１１３が設けられた領域に限定される。この実施形態では、Ｘ軸方向の全長の片側部約２／３の領域をドッキングステーション１０の筐体１１を実際に押さえる部分として利用している。ホルダ本体１１２の残る１／３の領域には、ドッキングステーション１０の筐体１１に設けられた一部の吸排気穴１２ｃ，１２ｄに連通する流通穴１１７（図４、図７参照）が設けられている。この流通穴１１７は、ドッキングステーション１０の筐体１１に設けられた一部の吸排気穴１２ｃ，１２ｄに対して位置的に整合するように配置される。
【００３３】
スタンド装置１００のホルダ本体１１２に流通穴１１７を設けることで、ドッキングステーション１０が使用された後、直ぐにスタンド装置１００に装着されても、ドッキングステーション１０の筐体１１内に熱が長時間こもることを防止することができ、ドッキングステーション１０内の拡張デバイスの熱破壊などを防止することができる。特に、光学ドライブ、ハードディスクドライブ、ＧＰＵなど、発熱量の大きい拡張デバイスが内蔵されたドッキングステーション１０において冷却は重要である。
【００３４】
ところで、スタンド装置１００に上記のような流通穴１１７を設けても、装着されたドッキングステーション１０の一部の吸排気穴１２ｃ，１２ｄとホルダ本体１１２の流通穴１１７とが位置的に整合しなければ一定の効果を期待できない。そこで、このスタンド装置１００には、ドッキングステーション１０のＸ軸方向での装着位置を決めるための位置決め部１１８（図４、図６、図７参照）が設けられている。この位置決め部１１８は、より具体的には、ホルダ本体１１２の一方のホルダ壁部１１２ｂの内側の面に突出した突起部である。この突起部よりなる位置決め部１１８はＺ軸方向に沿って長尺状に設けられる。一方、ドッキングステーション１０には、スタンド装置１００の上記の位置決め部１１８に係合可能な係合部１３（図３、図１０参照）が設けられている。この係合部１３は、より具体的には長尺の溝である。この長尺の溝からなる係合部１３は、ドッキングステーション１０の筐体１１の一方のＸ−Ｚ面に設けられる。
【００３５】
また、この係合部１３は、図３、図１０に示すように、ドッキングステーション１０の筐体１１のＸ軸方向の中心から偏った位置に設けられる。これにより、ドッキングステーション１０がスタンド装置１００に左右逆向きに装着されることを防止できる。同様に、係合部１３は、スタンド装置１００のホルダ部１１０に挿入される部分だけに設けられることで、ドッキングステーション１０がスタンド装置１００に上下逆向きに装着されることを防止できる。これにより、装着されたドッキングステーション１０の吸排気穴１２ｃ，１２ｄとホルダ本体１１２の流通穴１１７との位置的な整合性を確保することができる。
【００３６】
また、図１０に示すように、スタンド装置１００においてドッキングステーション１０は、ホルダ部１１０においてクッション部１１３が設けられた約２／３の領域のＸ軸方向における中心が、ドッキングステーション１０のＸ軸方向における中心と一致するような位置関係で保持される。これによりドッキングステーション１０を安定に保持できる。
【００３７】
ハウジング１０３内に配置されたウエイト１２０は、ドッキングステーション１０を保持した状態でスタンド装置１００が転倒したり、スタンド装置１００からドッキングステーション１０を抜き取る際にスタンド装置１００ごと持ち上げられたりしないようにするためのものである。ウエイト１２０は、例えば、鉄などの金属、その他の比重の高い材料で構成されたものである。ウエイト１２０は、例えば、ホルダ部１１０を挟んで左右のウエイト１２０の荷重が同一となるように配置されることが望ましい。
【００３８】
＜変形例＞
１．ハウジング１０３には、空気の流通穴が設けられていてもよい。これにより、ドッキングステーション１０の冷却効率の向上を期待できる。
２．スタンド装置１００の位置決め部を突起部、ドッキングステーション１０の係合部１３を溝としたが、逆にスタンド装置１００の位置決め部を溝、ドッキングステーション１０の係合部１３を突起部としてもよい。
３．上記のスタンド装置１００では、Ｙ軸方向を略垂直の向きにした姿勢でドッキングステーション１０を保持するように構成したが、Ｘ軸方向を略垂直の向きにした姿勢でドッキングステーション１０を保持するように構成してもよい。
４．上記のスタンド装置１００では、ドッキングステーション１０がホルダ部１１０に挿入されたとき、ホルダ本体１１２の一対のホルダ壁部１１２ａ，１１２ｂが動いて、ドッキングステーション１０を厚み方向の両側から挟み込むことによってドッキングステーション１０を保持するものとした。本発明は、これに限らず、ホルダ本体１１２の一方のホルダ壁部だけが動いて、ドッキングステーション１０を厚み方向の両側から挟み込み、ドッキングステーション１０を保持するようにしてもよい。
【符号の説明】
【００３９】
１０…ドッキングステーション
１１…筐体
１２ｃ．１２ｄ…吸排気穴
１３…係合部
１００…スタンド装置
１０１…ボトムプレート
１０３…ハウジング
１１０…ホルダ部
１１２…ホルダ本体
１１２ａ、１１２ｂ…ホルダ壁部
１１２ｃ…連結部
１１３…クッション部
１１４…移動制限部
１１５…ガイドリブ
１１６…係合部
１１７…流通穴
１２０…ウエイト
１３０…弾性部材
１６０、１７０…段差部
【図１】
2012160008.tif 000003
【図２】
2012160008.tif 000004
【図３】
2012160008.tif 000005
【図４】
2012160008.tif 000006
【図５】
2012160008.tif 000007
【図６】
2012160008.tif 000008
【図７】
2012160008.tif 000009
【図８】
2012160008.tif 000010
【図９】
2012160008.tif 000011
【図１０】
2012160008.tif 000012